(57)【要約】【課題】相異なるＡＳＫ変調方式を持つ２種類のＩＣカードの何れとでも通信できる。【解決手段】符号化／復号化回路１４、符号化回路１５は、共通のクロックにより動作し、それぞれＩＳＯ１４４４３のＴＹＰＥ−Ａ、ＴＹＰＥ−Ｂの符号化を行う。信号合成回路２０は、符号化回路１５からのキャリア信号Ｓｃと符号化／復号化回路１４の出力信号ＳＡとの論理積である合成信号Ｓｄを生成する。ＴＹＰＥ−Ｂ方式の変調を行う変調回路２１には符号化回路１５の出力信号ＳＢと合成信号Ｓｄとが入力される。ＴＹＰＥ−Ａ方式の場合、出力信号ＳＡはベースバンド信号Ｓb(A)となり、出力信号ＳＢはハイレベル信号となる。ＴＹＰＥ−Ｂ方式の場合、出力信号ＳＡはハイレベル信号となり、出力信号ＳＢはベースバンド信号Ｓb(B)となる。【選択図】  図１
2004200982.tif 000002
【特許請求の範囲】
【請求項１】
単一のキャリア信号入力端子とベースバンド信号入力端子とを有しＡＳＫ変調した被変調信号を出力する変調回路と、
キャリア信号を出力するキャリア信号出力回路と、
変調選択信号が第１の状態である場合に送信データを第１のＡＳＫ変調方式に従って符号化した第１のベースバンド信号を出力し、第２の状態である場合に所定の定レベル信号を出力する第１の変換回路と、
前記変調選択信号が第１の状態である場合に所定の定レベル信号を出力し、第２の状態である場合に送信データを第２のＡＳＫ変調方式に従って符号化した第２のベースバンド信号を出力する第２の変換回路と、
前記キャリア信号と前記第１の変換回路の出力信号とを入力しその合成信号を生成する信号合成回路とを備え、
前記変調回路のベースバンド信号入力端子に前記第２の変換回路の出力信号が入力され、前記キャリア信号入力端子に前記合成信号が入力されるように構成されていることを特徴とする非接触ＩＣカード用リーダライタ。
【請求項２】
前記信号合成回路はＡＮＤ回路から構成され、前記第１および第２の変換回路が出力する定レベル信号はハイレベルを有する信号であることを特徴とする請求項１記載の非接触ＩＣカード用リーダライタ。
【請求項３】
単一のアンテナにより受信した受信信号が少なくとも２系統に分配され、その分配された受信信号が、それぞれ前記第１の変換回路と組み合わせて用いられる第１の復調回路および前記第２の変換回路と組み合わせて用いられる第２の復調回路に入力されるように構成されていることを特徴とする請求項１または２記載の非接触ＩＣカード用リーダライタ。
【請求項４】
前記第１の変換回路と前記第１の復調回路および前記キャリア信号出力回路と前記第２の変換回路は、それぞれ１つのＩＣとして構成されていることを特徴とする請求項３記載の非接触ＩＣカード用リーダライタ。
【請求項５】
前記第１と第２の変換回路は、共通のクロックに基づいて動作することを特徴とする請求項１ないし４の何れかに記載の非接触ＩＣカード用リーダライタ。
【請求項６】
前記第１の変調方式は１００％ＡＳＫ変調方式であり、前記第２の変調方式は１０％ＡＳＫ変調方式であることを特徴とする請求項１ないし５の何れかに記載の非接触ＩＣカード用リーダライタ。
【発明の詳細な説明】
【０００１】
【発明の属する技術分野】
本発明は、相異なる通信方式によりＩＣカードと通信可能な非接触ＩＣカード用リーダライタに関する。
【０００２】
【従来の技術】
電磁波の送受信により情報を授受する非接触式の応答ユニットとして、例えば特許文献１に記載したものがある。これは、例えば自動生産ラインにおける移動機などに装着して使用されるものである。これに対し、近年は、事業場用の入門管理システムや自動改札機をはじめとする多くのシステムでＩＣカードが使用されており、それに伴って当該ＩＣカードに対し情報を読み書きするための非接触ＩＣカード用リーダライタが使用されている。
【０００３】
【特許文献１】
特開平１０−１３２９５号公報
【０００４】
【発明が解決しようとする課題】
非接触ＩＣカードには通信距離や通信周波数によってＩＳＯ規格が制定されており、密着型（ＩＳＯ１０５３６）、近接型（ＩＳＯ１４４４３)、近傍型（ＩＳＯ１５６９３）などの種類がある。このうち近接型非接触ＩＣカードには、データの変調方式によってＴＹＰＥ−ＡとＴＹＰＥ−Ｂとがある。ＴＹＰＥ−ＡとＴＹＰＥ−Ｂの各方式は、何れもリーダライタからＩＣカードへの送信にＡＳＫ変調方式を採用している。
【０００５】
ＴＹＰＥ−Ａ方式は、一般にＣＰＵが内蔵されてないハードウェアロジックで構成された制御回路を持つ非接触ＩＣカードに利用される方式であり、シンプルなプロトコルをもつＩＣカード用として、例えば個人識別カードやプリペイドカードなどに利用されることが多い。一方、ＴＹＰＥ−Ｂ方式は、ＣＰＵを内蔵した非接触ＩＣカードで利用される方式であり、比較的複雑なプロトコルをもつ銀行用のキャッシュカードやクレジットカードなどに利用されることが多い。
【０００６】
図６は、ＩＳＯ１４４４３のＴＹＰＥ−Ｂ方式を採用した既存のリーダライタ１における変復調回路部分の電気的構成を示すブロック図である。ＩＣ化されている符号化回路２は、ＣＰＵ３から送られた送信データをＮＲＺ符号に変換したベースバンド信号Ｓb(B)を生成し、発振回路４から１３．５６ＭＨｚのクロックの供給を受けてキャリア信号Ｓｃとともに変調回路５に出力する。変調回路５は、例えば単同調送信方式を採用しており、１０％ＡＳＫ変調方式により変調した信号をアンテナ６を介してＩＣカード７に送信する。一方、復調回路８は、アンテナ６を介して受信した信号を復調し、その復調信号は復号化回路９を介して符号化回路２に入力される。図７は、この構成におけるキャリア信号Ｓｃ、ベースバンド信号Ｓb(B)、アンテナの出力信号Ｓｗの各波形を示している。
【０００７】
ところで、近年、非接触ＩＣカードの普及に伴い、各種仕様のＩＣカードを統合したコンビネーションカードが提案されている。現在は、メモリ等を共有し通信のインターフェースを非接触近接型と外部端子付きとで使い分けるコンビネーションカードのニーズが高まっているが、その一方で上記ＴＹＰＥ−Ａ方式とＴＹＰＥ−Ｂ方式とのコンビネーションカードも考えられている。両タイプを統合したＩＣカードに対して各変調方式専用のリーダライタを準備することは手間であり、コストの上でも不利となる。そこで、ＴＹＰＥ−Ａ、ＴＹＰＥ−Ｂ何れの変調方式でも通信可能なリーダライタの実現が必要となる。
【０００８】
例えばＴＹＰＥ−Ｂ方式を採用する図６に示すリーダライタ１にＴＹＰＥ−Ａ方式を追加する場合、開発期間および開発コストを抑える上で既存のＴＹＰＥ−Ａ方式の符号化／復号化用ＩＣを組み合わせることが考えられる。しかし、既存の符号化／復号化用ＩＣは、他のＩＣと組み合わせることを前提として設計されていないため、そのまま組み合わせることはできない。
【０００９】
すなわち、リーダライタ１の変調回路５は単同調送信方式であるのに対し、ＴＹＰＥ−Ａ方式を採用する他の符号化／復号化用ＩＣは複同調送信方式である。
この送信方式の相違により、両者を単に組み合わせただけではリーダライタにアンテナを２種類搭載する必要が生じ、装置の大型化やコスト高などの問題が生じる。
【００１０】
本発明は上記事情に鑑みてなされたもので、その目的は、２つの相異なるＡＳＫ変調方式の何れでも通信可能であって且つ既存の回路を利用して構成できる非接触ＩＣカード用リーダライタを提供することにある。
【００１１】
【課題を解決するための手段】
請求項１に記載した手段によれば、キャリア信号出力回路は、変調選択信号の状態にかかわらずキャリア信号を出力し続ける。変調選択信号が第１の状態である場合に、第１の変換回路は、送信データを第１のＡＳＫ変調方式に従って符号化した第１のベースバンド信号を出力し、第２の変換回路は、定レベル信号を出力する。このとき、信号合成回路は、キャリア信号と第１のベースバンド信号とを合成するため、キャリア信号の振幅は、２値信号である第１のベースバンド信号に応じて複数段階（例えば０％／１００％の２段階）に変化する。つまり、この時点で第１の変調方式による変調がなされたことになる。
【００１２】
その結果、変調回路のベースバンド信号入力端子には定レベル信号が入力され、変調回路のキャリア信号入力端子には上記合成信号が入力される。変調回路は、入力されるベースバンド信号が一定レベルであることから、上記第１の変調方式による変調がされた合成信号をそのまま被変調信号として出力する。
【００１３】
これに対し、変調選択信号が第２の状態である場合に、第１の変換回路は、定レベル信号を出力し、第２の変換回路は、送信データを第２のＡＳＫ変調方式に従って変換した第２のベースバンド信号を出力する。このとき、信号合成回路は、キャリア信号と定レベル信号とを合成するため、キャリア信号をそのまま出力する。これにより、変調回路のベースバンド信号入力端子には第２のベースバンド信号が入力され、変調回路のキャリア信号入力端子にはキャリア信号が入力される。変調回路は、本来のＡＳＫ変調動作に従って、第２の変調方式に従った被変調信号を出力する。
【００１４】
従って、当該非接触ＩＣカード用リーダライタによれば、単一の変調回路を備えているにもかかわらず、変調選択信号の状態を切り替えることにより相異なる２種類のＡＳＫ変調方式の何れでも通信可能となる。これにより、複数種類のＩＣカードに対して情報の読み書きが可能となる。また、第１、第２の変換回路とは、互いに協調動作するように特別な設計がされている必要はなく、既存の符号化／復号化用回路を利用することができる。
【００１５】
請求項２に記載した手段によれば、信号合成回路はＡＮＤ回路から構成されているので、合成信号は、第１のベースバンド信号がハイレベルのときにキャリア信号に等しくなり、第１のベースバンド信号がロウレベルのときにロウレベル一定となる。つまり、合成信号は、第１のベースバンド信号により１００％ＡＳＫ変調が施された信号となる。
【００１６】
請求項３に記載した手段によれば、単一のアンテナにより受信した受信信号が分配されて、その分配された受信信号が、それぞれ第１の変換回路と組み合わせて用いられる第１の復調回路および第２の変換回路と組み合わせて用いられる第２の復調回路に入力されるため、ＩＣカードと当該非接触ＩＣカード用リーダライタとの間で双方向の通信が可能となる。ＩＣカードから非接触ＩＣカード用リーダライタへの通信方式は、例えば負荷変調方式である。
【００１７】
請求項４に記載した手段によれば、第１の変換回路と第１の復調回路およびキャリア信号出力回路と第２の変換回路がそれぞれ１つのＩＣとして構成されている。この形態は、現在用いられている通信用ＩＣの形態の一つである。本願発明は、こうした既存のＩＣを利用して、２種類の変調方式の何れによってもＩＣカードとの通信を可能としたもので、新たなＩＣを新規に開発する手間とコストを省くことができる。
【００１８】
請求項５に記載した手段によれば、第１と第２の変換回路は、共通のクロックに基づいて動作するので、容易にキャリア信号と第１、第２のベースバンド信号との同期をとることができる。
【００１９】
請求項６に記載した手段によれば、第１の変調方式は１００％ＡＳＫ変調方式であり、第２の変調方式は１０％ＡＳＫ変調方式であるため、ＩＳＯ１４４４３により制定された近接型非接触ＩＣカードとの通信に適用できる。
【００２０】
【発明の実施の形態】
以下、本発明の一実施形態について図１ないし図５を参照しながら説明する。
図１は、ＩＣカード用リーダライタにおいて変復調回路部分の電気的構成を示すブロック図である。このＩＣカード用リーダライタ１１（以下、単にリーダライタ１１と称す）は、ＩＳＯ１４４４３の規格により定められた近接型非接触ＩＣカード１２Ａ、１２Ｂとの間で通信を行うものである。ＩＳＯ１４４４３には、ＴＹＰＥ−Ａ（ＩＣカード１２Ａに対応）とＴＹＰＥ−Ｂ（ＩＣカード１２Ｂに対応）の通信方式が規定されており、リーダライタ１１は両方式の何れを用いても通信可能である点に特徴を有している。
【００２１】
リーダライタ１１からＩＣカード送信する場合、ＴＹＰＥ−Ａ方式は、キャリア信号（ｆｃ＝１３．５６ＭＨｚ）の振幅が０％と１００％の組み合わせによりデータ「０」と「１」を表わす１００％ＡＳＫ(Amplitude Shift Keying)変調方式を採用している。一方、ＴＹＰＥ−Ｂ方式は、キャリア信号（ｆｃ＝１３．５６ＭＨｚ）の振幅が９０％と１００％の組み合わせによりデータ「０」と「１」を表わす１０％ＡＳＫ変調方式を採用している。
【００２２】
また、ＩＣカード１２Ａ、１２Ｂからリーダライタ１１に送信する場合、ＴＹＰＥ−Ａ方式、ＴＹＰＥ−Ｂ方式の何れにおいても、ＩＣカード１２Ａ、１２Ｂは、キャリア信号（搬送波）を副搬送波の周波数（ｆｃ／１６＝８４７ｋＨｚ）で負荷変調することによって、磁気結合の間隙を介してリーダライタ１１に送信するようになっている。
【００２３】
リーダライタ１１にはパソコンなどの上位装置（図示せず）が接続されており、ＣＰＵ１３は、当該上位装置から送られてくるカード選択信号に応じて、変調選択信号Ｓｍを出力するようになっている。リーダライタ１１は、変調選択信号Ｓｍがハイレベルの場合にＴＹＰＥ−Ａ方式のＩＣカード１２Ａと通信を行い、変調選択信号Ｓｍがロウレベルの場合にＴＹＰＥ−Ｂ方式のＩＣカード１２Ｂと通信を行うようになっている。
【００２４】
符号化／復号化回路１４（第１の変換回路、第１の復調回路に相当）は、ＴＹＰＥ−Ａ方式に基づいてＣＰＵ１３の送受信データとベースバンド信号Ｓb(A)との間の符号化／復号化および復調を行うもので、一つのＩＣとして構成されている。変調選択信号Ｓｍがハイレベルの場合、ＩＣカード１２Ａへの送信については、ＣＰＵ１３からの送信データを変形ミラー符号化方式によりベースバンド信号Ｓb(A)に変換して出力し、ＩＣカード１２Ａからの受信については、アンテナ１６からの受信信号を復調した後ＯＯＫ−マンチェスタ符号化方式により受信データの復号化を行うようになっている。一方、変調選択信号Ｓｍがロウレベルの場合には、上記ベースバンド信号Ｓb(A)に替えてハイレベル一定の定レベル信号を出力するようになっている。
【００２５】
これに対し、符号化回路１５（第２の変換回路に相当）は、ＴＹＰＥ−Ｂ方式に基づいてＣＰＵ１３の送信データとベースバンド信号Ｓb(B)との間の符号化を行うもので、一つのＩＣとして構成されている。変調選択信号Ｓｍがロウレベルの場合、ＩＣカード１２Ｂへの送信については、ＣＰＵ１３からの送信データをＮＲＺ符号化方式によりベースバンド信号Ｓb(B)に変換して出力し、変調選択信号Ｓｍがハイレベルの場合、上記ベースバンド信号Ｓb(B)に替えてハイレベル一定の定レベル信号を出力するようになっている。
【００２６】
また、ＩＣカード１２Ｂからの受信については、アンテナ１６からの受信信号を復号化する復調回路１７（第２の復調回路に相当）と、ＢＰＳＫ−ＮＲＺ符号化方式により受信データを復号化する復号化回路１８とによって行われるようになっている。この受信データは、符号化回路１５を介してＣＰＵ１３に送られるようになっている。
【００２７】
なお、符号化／復号化回路１４、符号化回路１５を構成する各ＩＣは既存のものである。従って、実際の変調選択信号Ｓｍは、ＣＰＵ１３から各ＩＣに送られる動作許可信号を相補的な信号とすることにより実現されている。すなわち、ＣＰＵ１３から符号化／復号化回路１４に対してのみ動作許可信号を出力した状態が、ＴＹＰＥ−Ａ方式を選択するための変調選択信号の第１の状態（上記ハイレベルの状態）に相当し、ＣＰＵ１３から符号化回路１５に対してのみ動作許可信号を出力した状態がＴＹＰＥ−Ｂ方式を選択するための変調選択信号の第２の状態（上記ロウレベルの状態）に相当する。
【００２８】
符号化／復号化回路１４、符号化回路１５を構成する各ＩＣには、発振回路１９から共通のクロックが入力されるようになっており、キャリア信号出力回路として機能する符号化回路１５は、ｆｃ（＝１３．５６ＭＨｚ）のキャリア信号Ｓｃを出力するようになっている。これにより、ベースバンド信号Ｓb(A) 、Ｓb(B) とキャリア信号Ｓｃとの同期がとられるようになっている。
【００２９】
信号合成回路２０は、具体的にはＡＮＤ回路から構成されており、符号化回路１５からのキャリア信号Ｓｃと符号化／復号化回路１４の出力信号ＳＡとの論理積である合成信号Ｓｄを出力するようになっている。
【００３０】
変調回路２１は、単一のキャリア信号入力端子とベースバンド信号入力端子とを有し、ＴＹＰＥ−Ｂ方式の変調を行う回路である。ベースバンド信号入力端子には、符号化回路１５の出力信号ＳＢ（すなわちベースバンド信号Ｓb(B)または定レベル信号）が入力され、キャリア信号入力端子には信号合成回路２０からの合成信号Ｓｄが入力されるようになっている。この変調回路２１の出力端子は、アンテナ１６に接続されている。アンテナ１６を介して受信された信号は２系統に分配され、一方が符号化／復号化回路１４に直接入力され、他方が復調回路１７に入力されるようになっている。なお、アンテナ１６とＩＣカード１２Ａ、１２Ｂのアンテナとの間は電磁誘導により結合されるようになっている。
【００３１】
次に、本実施形態の作用について図２ないし図５も参照しながら説明する。
図２は、リーダライタ１１からＴＹＰＥ−Ａ方式のＩＣカード１２Ａに送信する場合の各部の信号波形を示し、図３は、リーダライタ１１からＴＹＰＥ−Ｂ方式のＩＣカード１２Ｂに送信する場合の各部の信号波形を示している。各波形は以下の通りである。
【００３２】
（ａ）符号化回路１５から出力されるキャリア信号Ｓｃ
（ｂ）符号化／復号化回路１４の出力信号ＳＡ
（ｃ）符号化回路１５の出力信号ＳＢ
（ｄ）信号合成回路２０から出力される合成信号Ｓｄ
（ｅ）アンテナ１６の出力信号Ｓｗ
【００３３】
図２に示す場合には、変調選択信号Ｓｍはハイレベルとなっている。そこで、符号化／復号化回路１４は、送信データを変形ミラー符号化方式によりベースバンド信号Ｓb(A)に変換してそれを出力信号ＳＡとして出力し、符号化回路１５は、ハイレベル一定の定レベル信号を出力信号ＳＢとして出力する。信号合成回路２０は、キャリア信号Ｓｃとベースバンド信号Ｓb(A)との論理積により、キャリア信号Ｓｃについてベースバンド信号Ｓb(A)がロウレベルの時に振幅０％、ベースバンド信号Ｓb(A)がハイレベルの時に振幅１００％となる合成信号Ｓｄを出力する。この合成信号Ｓｄは、キャリア信号Ｓｃをベースバンド信号Ｓb(A)で１００％ＡＳＫ変調した信号となっている。
【００３４】
ＴＹＰＥ−Ｂ方式の変調を行う変調回路２１は、ベースバンド信号入力端子の信号がハイレベルの時にキャリア信号入力端子の信号を１００％の振幅で出力するため、出力信号ＳＢがハイレベルの定レベル信号である本ケースでは、合成信号Ｓｄをそのまま出力する。これにより、アンテナ１６からは、ＴＹＰＥ−Ａ方式である１００％ＡＳＫ変調された出力信号Ｓｗが出力される。
【００３５】
これに対し、図３に示す場合には、変調選択信号Ｓｍはロウレベルとなっている。そこで、符号化回路１５は、送信データをＮＲＺ符号化方式によりベースバンド信号Ｓb(B)に変換してそれを出力信号ＳＢとして出力し、符号化／復号化回路１４は、ハイレベル一定の定レベル信号を出力信号ＳＡとして出力する。信号合成回路２０は、キャリア信号Ｓｃとハイレベルの定レベル信号との論理積により、キャリア信号Ｓｃに等しい合成信号Ｓｄを出力する。
【００３６】
従って、変調回路２１は、符号化回路１５から出力されたベースバンド信号Ｓb(B)とキャリア信号Ｓｃとがそのまま入力された場合と同じ動作となり、ベースバンド信号Ｓb(B)に対しＴＹＰＥ−Ｂ方式の１０％ＡＳＫ変調を行ってアンテナ１６を介して出力信号Ｓｗを出力する。
【００３７】
次に、リーダライタ１１がＩＣカード１２Ａまたは１２Ｂと通信する場合の一連の動作内容について説明する。図４は、ＣＰＵ１３の処理内容を示すフローチャートである。ＣＰＵ１３は、まずステップＳ１において符号化回路１５に対しキャリアＯＮを指令する。続いて、ステップＳ２において、パソコンなどの上位装置からのカード選択信号に基づいて、適用すべき変調方式がＴＹＰＥ−Ａ方式であるかＴＹＰＥ−Ｂ方式であるかを判断する。ここで、ＩＣカード１２Ａのカード選択信号を受けた場合には、ＴＹＰＥ−Ａ方式を適用すると判断してステップＳ３に移行する。
【００３８】
ＣＰＵ１３は、ステップＳ３において符号化／復号化回路１４に送信データをセットし、ステップＳ４において符号化／復号化回路１４に対して動作許可信号を出力する。これにより、変調選択信号Ｓｍがハイレベルの状態となり、符号化／復号化回路１４はベースバンド信号Ｓb(A)を出力し、符号化回路１５はハイレベルの定レベル信号を出力する。その結果、上述したように変調回路２１からアンテナ１６を介してＴＹＰＥ−Ａ方式による出力信号Ｓｗが出力される。
【００３９】
ＩＣカード１２Ａは、搬送波を副搬送波の周波数で負荷変調することによってリーダライタ１１と通信する。アンテナ１６により受信された信号は符号化／復号化回路１４に直接入力され、そこで復調および復号化が行われて受信データが得られる。ＣＰＵ１３は、ステップＳ５において、符号化／復号化回路１４から受信データを読み込む。
【００４０】
一方、ＩＣカード１２Ｂとの通信を行う場合には、上記ステップＳ２においてＴＹＰＥ−Ｂ方式を適用すると判断してステップＳ６に移行する。ＣＰＵ１３は、ステップＳ６において符号化回路１５に送信データをセットし、ステップＳ７において符号化回路１５に対して動作許可信号を出力する。これにより、変調選択信号Ｓｍがロウレベルの状態となり、符号化回路１５はベースバンド信号Ｓb(B)を出力し、符号化／復号化回路１４はハイレベルの定レベル信号を出力する。その結果、上述したように変調回路２１からアンテナ１６を介してＴＹＰＥ−Ｂ方式による出力信号Ｓｗが出力される。
【００４１】
ＩＣカード１２Ｂも負荷変調することによってリーダライタ１１と通信する。
アンテナ１６により受信された信号は、復調回路１７で復調され、復号化回路１８で復号化され、得られた受信データが符号化回路１５にセットされる。ＣＰＵ１３は、ステップＳ８において符号化回路１５から受信データを読み込む。その後、ＣＰＵ１３は、ステップＳ９において、読み込んだ受信データについて処理を行う。
【００４２】
図５は、リーダライタ１１を用いてＩＣカード１２Ａ、１２Ｂと通信する場合のシーケンス図である。ここでは、まず初めにＩＣカード１２Ａと通信し、その後ＩＣカード１２Ｂと通信する場合を示している。パソコンなどの上位装置からリーダライタ１１にＴＹＰＥ−Ａのカード選択信号が送信されると、リーダライタ１１とＩＣカード１２Ａとの間でデータの送信とそれに対する応答が必要回数だけ繰り返される。そして、リーダライタ１１とＩＣカード１２Ａとの間の通信が完了すると、リーダライタ１１から上位装置に対し、処理完了信号が送信される。上位装置は、処理完了信号を受信すると、新たに要求されたカード選択信号（図５ではＴＹＰＥ−Ｂの選択）をリーダライタ１１に送信し、リーダライタ１１は、上述と同様にして要求されたＴＹＰＥ−ＢのＩＣカード１２Ｂとの間で通信を行う。
【００４３】
以上説明したように、本実施形態のリーダライタ１１は、変調方式ＩＳＯ１４４４３のＴＹＰＥ−Ａ、ＴＹＰＥ−Ｂの符号化を行う既存の符号化／復号化回路１４、符号化回路１５とともに、符号化／復号化回路１４の出力信号ＳＡとキャリア信号Ｓｃとの合成信号Ｓｄを生成する信号合成回路２０を備えている。これにより、ＴＹＰＥ−Ａ方式の変調回路を備えることなくＴＹＰＥ−Ｂ方式の変調を行う既存の変調回路２１を備えるだけで、リーダライタ１１からＴＹＰＥ−Ａ、ＴＹＰＥ−Ｂ何れのＩＣカード１２Ａ、１２Ｂに対してもデータの送信が可能となる。
【００４４】
また、ＩＣカード１２Ａ、１２Ｂで負荷変調された信号は、アンテナ１６で受信された後直ちに分配され、ＴＹＰＥ−Ａ方式の復調回路と復号回路とが内蔵された符号化／復号化回路１４に入力されるとともに、ＴＹＰＥ−Ｂ方式の復調を行う既存の復調回路１７ひいてはＴＹＰＥ−Ｂ方式の復号化を行う復号化回路１８に入力される。従って、リーダライタ１１は、ＴＹＰＥ−Ａ、ＴＹＰＥ−Ｂ何れのＩＣカード１２Ａ、１２Ｂからの信号も受信、復調、復号化することができる。
【００４５】
このように、本実施形態のリーダライタ１１は、既存のＩＣである符号化／復号化回路１４、１５および変調回路２１をそのまま用いているため、ＴＹＰＥ−ＡとＴＹＰＥ−Ｂの変調方式を具備したものであっても、その開発コストや製造コストを極力抑えることができる。また、変調回路２１を共用しているため単一のアンテナ１６を備えればよく、装置サイズが増大することを防止することができる。
【００４６】
さらに、符号化／復号化回路１４と符号化回路１５には、発振回路１９から共通のクロックが入力されているので、別途同期回路を設けることなく、ベースバンド信号Ｓb(A) 、Ｓb(B) とキャリア信号Ｓｃとの同期をとることができる。
【００４７】
なお、本発明は上記し且つ図面に示す実施形態に限定されるものではなく、例えば以下のように変形または拡張が可能である。
一つのＩＣとして構成された符号化／復号化回路１４に替えて、別々に構成された符号化回路、復調回路および復号化回路を設けても良い。また、符号化回路１５、復調回路１７および復号化回路１８に替えて、符号化回路、復調回路および復号化回路を一体化したＩＣを用いても良い。
【図面の簡単な説明】
【図１】本発明の一実施形態を示すＩＣカード用リーダライタの変復調回路部分のブロック図
【図２】リーダライタからＴＹＰＥ−Ａ方式のＩＣカードに送信する場合の各部の信号波形図
【図３】リーダライタからＴＹＰＥ−Ｂ方式のＩＣカードに送信する場合の各部の信号波形図
【図４】ＣＰＵの処理内容を示すフローチャート
【図５】リーダライタを用いてＩＣカードと通信する場合のシーケンス図
【図６】従来技術を示す図１相当図
【図７】図３相当図
【符号の説明】
１１はリーダライタ（非接触ＩＣカード用リーダライタ）、１４は符号化／復号化回路（第１の変換回路、第１の復調回路）、１５は符号化回路（第２の変換回路、キャリア信号出力回路）、１７は復調回路（第２の復調回路）、２０は信号合成回路（ＡＮＤ回路）、２１は変調回路である。
【図１】
2004200982.tif 000003
【図２】
2004200982.tif 000004
【図３】
2004200982.tif 000005
【図４】
2004200982.tif 000006
【図５】
2004200982.tif 000007
【図６】
2004200982.tif 000008
【図７】
2004200982.tif 000009